(57)【要約】【課題】地上波共聴システムを利用してユーザへの利便性を高める監視映像制御システムおよびコンテンツ情報配信用サーバを提供する。【解決手段】  本発明の監視映像制御システムは、被監視対象を監視する監視カメラ２１ａ、２１ｂ、２１ｃと、地上波デジタル放送周波数帯域を利用して送られてくる監視カメラ２１ａ、２１ｂ、２１ｃの映像を表示するユーザ端末７と、カメラ制御コンテンツを生成するカメラ制御コンテンツ生成部およびデータ放送コンテンツを生成するデータ放送コンテンツ生成部とを有するコンテンツ情報配信用サーバ４とを備える。そして、コンテンツ情報配信用サーバ４のコンテンツ送信部３３からデータ放送コンテンツを送信して放送周波数を利用して映像と共にユーザ端末７に送る。また、通信部３４を用いてカメラ制御コンテンツをユーザ端末７に送信し、またユーザ端末７からの操作情報を監視カメラ２１ａ、２１ｂ、２１ｃに向けて送信する。【選択図】図１
2011061601.tif 000002
【特許請求の範囲】
【請求項１】
被監視対象を監視する監視カメラと、
カメラ制御コンテンツを生成するカメラ制御コンテンツ生成部およびデータ放送コンテンツを生成するデータ放送コンテンツ生成部を有するコンテンツ情報配信用サーバと、
前記監視カメラの映像および前記データ放送コンテンツとを多重化する多重化装置と、
地上波デジタル放送周波数帯域を利用して送られてくる前記多重化装置により多重化された前記カメラ映像およびデータ放送コンテンツとを表示するユーザ端末と、
前記監視カメラおよび前記コンテンツ情報配信用サーバと前記多重化装置を接続し、前記多重化装置と前記ユーザ端末を地上波デジタル放送周波数帯域を利用して接続し、前記監視カメラの映像と前記データ放送コンテンツとを前記ユーザ端末に送信する第１の通信手段と、
前記ユーザ端末と前記コンテンツ情報配信用サーバとを通信ネットワークを介して接続し、前記カメラ制御コンテンツ又は前記ユーザ端末からの操作情報を送信する第２の通信手段と、
を備えたことを特徴とする監視映像制御システム。
【請求項２】
前記コンテンツ情報配信用サーバはカメラ制御手段を更に備え、
前記カメラ制御手段は、前記ユーザ端末から前記第２の通信手段を介して現在受信中のチャンネル情報を受け取り、前記ユーザ端末がいずれのチャンネルを使用しているかを記憶すること、を特徴とする請求項１に記載の監視映像システム。
【請求項３】
前記カメラ制御手段は、複数のユーザ端末の前記チャンネル情報に基づき、前記監視カメラの映像を制御するための権限を調停することを特徴とする請求項２に記載の監視映像制御システム。
【請求項４】
前記カメラ制御手段は、複数のユーザ端末の前記チャンネル情報に基づき、現在の空きチャンネル情報を各ユーザ端末に提供することを特徴とする請求項３に記載の監視映像制御システム。
【請求項５】
被監視対象を監視する監視カメラと、地上波デジタル放送周波数帯域を利用して送られてくる前記監視カメラの映像を表示するユーザ端末との間で、前記監視カメラの映像制御を司るコンテンツ情報配信用サーバであって、
カメラ制御コンテンツを生成するカメラ制御コンテンツ生成部と、
データ放送コンテンツを生成するデータ放送コンテンツ生成部と、
前記データ放送コンテンツ生成部で生成した前記データ放送コンテンツを前記地上波デジタル放送周波数帯域を利用して前記ユーザ端末に送信する第１の通信部と、
前記カメラ制御コンテンツ生成部で生成した前記カメラ制御コンテンツを前記ユーザ端末に送信し、前記ユーザ端末からの操作情報を受信して前記監視カメラに送信する第２の通信部と、
を備えたことを特徴とするコンテンツ情報配信用サーバ。
【発明の詳細な説明】
【技術分野】
【０００１】
本発明は、デジタル共聴システムを利用する監視映像制御システムおよびコンテンツ情報配信用サーバに関する。
【背景技術】
【０００２】
近年、地上波テレビ放送がデジタル化され、２０１１年７月２４日付でアナログ放送終了に伴って、地上波デジタル放送に対応したユーザ端末（テレビ受像機）が広く普及してきている。
【０００３】
地上波デジタル放送は、データ放送及びＩＰ（Internet Protocol）に対応していることから、ＢＭＬ（Broadcast Markup Language）の記述によるコンテンツ情報が配布できる。また、配信装置側からユーザ端末に簡単なプログラムを配布し、ユーザ端末側で当該プログラムを実行することができる。
【０００４】
上記機能を監視カメラ制御システムに適用し、ユーザ端末側から送信されてくる操作情報を判断し、監視カメラの映像および監視カメラの映像に関する情報をユーザ端末に送信する技術が開発されている（例えば、特許文献１参照）。
【先行技術文献】
【特許文献】
【０００５】
【特許文献１】特開２００８−２２７９４０号公報
【発明の概要】
【発明が解決しようとする課題】
【０００６】
しかしながら、特許文献１に開示される技術では、監視カメラの映像とともに監視カメラの映像に関する情報をユーザ端末側で受け取ることは可能であるが、監視カメラの動作を制御することまではできなかった。また、監視カメラの動作を制御するためのコンテンツを送る際、地上波デジタル放送に用いられる映像ストリームと同様にコンテンツを配信しようとすると、本来の地上波デジタル放送の映像伝送に障害をおよぼす可能性がある。
【０００７】
本発明は、上記事情に鑑みてされたもので、地上波デジタル放送に用いる映像ストリームに負荷をかけることなくユーザ端末からの監視カメラの動作制御を実現する監視映像制御システムおよびコンテンツ情報配信用サーバを提供することを目的とする。
【課題を解決するための手段】
【０００８】
上記課題を解決するために、本発明の監視映像制御システムは、被監視対象を監視する監視カメラと、地上波デジタル放送周波数帯域を利用して送られてくる前記監視カメラの映像を表示するユーザ端末と、カメラ制御コンテンツを生成するカメラ制御コンテンツ生成部およびデータ放送コンテンツを生成するデータ放送コンテンツ生成部を有し、前記カメラ制御コンテンツおよび前記データ放送コンテンツを前記ユーザ端末に送出するコンテンツ情報配信用サーバと、前記ユーザ端末と前記コンテンツ情報配信用サーバとを接続し、前記地上波デジタル放送周波数帯域を利用して前記監視カメラの映像と前記データ放送コンテンツとを前記ユーザ端末に送信する第１の通信手段と、前記ユーザ端末と前記コンテンツ情報配信用サーバとを接続し、前記カメラ制御コンテンツ又は前記ユーザ端末からの操作情報を送信する第２の通信手段と、を備えたことを特徴とする。
【０００９】
また、本発明のコンテンツ情報配信用サーバは、被監視対象を監視する監視カメラと、地上波デジタル放送周波数帯域を利用して送られてくる前記監視カメラの映像を表示するユーザ端末との間で、前記監視カメラの映像制御を司るコンテンツ情報配信用サーバであって、カメラ制御コンテンツを生成するカメラ制御コンテンツ生成部と、
データ放送コンテンツを生成するデータ放送コンテンツ生成部と、前記データ放送コンテンツ生成部で生成した前記データ放送コンテンツを前記地上波デジタル放送周波数帯域を利用して前記ユーザ端末に送信する第１の通信部と、前記カメラ制御コンテンツ生成部で生成した前記カメラ制御コンテンツを前記ユーザ端末に送信し、前記ユーザ端末からの操作情報を受信して前記監視カメラに送信する第２の通信部と、を備えたことを特徴とする。
【発明の効果】
【００１０】
本発明によれば、コンテンツ情報配信用サーバにカメラ制御装置部を取り込むことにより、ユーザ端末側から送信されてくる操作情報により監視カメラの動作を制御することができる。地上波デジタル放送に利用する映像ストリーム周波数帯域（地上波デジタル放送周波数帯域）を利用することなく制御情報を相互通信することができ、安定性のある監視映像制御システムを構築することができるようになる。
【図面の簡単な説明】
【００１１】
【図１】本発明に係る監視映像配信システムの一実施形態を示すブロック図。
【図２】図１に示すコンテンツ情報配信用サーバの具体例を示すブロック図。
【図３】実施形態に係る監視映像配信システムの動作を示すフローチャート。
【図４】実施形態に係るコンテンツ情報配信用サーバの動作を示すフローチャート。
【図５】実施形態に係る監視カメラを操作するための画面例を示す図。
【発明を実施するための形態】
【００１２】
以下、本発明の実施態様について図面を参照しながら説明する。
【００１３】
（第１の実施形態）
図１は、本発明の実施形態に係る監視映像配信システムの構成図である。
【００１４】
図１に示すように、この監視映像配信システムは、通信ネットワーク１と、この通信ネットワーク１に接続される対象の映像を撮影する監視カメラ２１ａ，２１ｂ，２１ｃ…及びエンコーダ２２ａ，２２ｂ，２２ｃ…を有する監視映像装置２ａ，２ｂ，２ｃ…と、この通信ネットワーク１に接続されるＭＰＥＧ２ＴＳ変換装置３，３と、この通信ネットワーク１に接続される情報配信用サーバ４と、上記ＭＰＥＧ２ＴＳ変換装置３，３及びコンテンツ情報配信用サーバ４に接続される多重化装置５と、この多重化装置５に接続され、前記多重化装置５から送信される情報が監視映像装置２ａ，２ｂ，‥に向けて受信される放送周波数変換装置６と、上記通信ネットワーク１と放送周波数変換装置６に接続されるユーザ端末７と、このユーザ端末７と無線通信可能な遠隔操作機８から構成される。ここでは、ユーザ端末７を１つだけ示しているが、ユーザ端末７は複数台設置されている。
【００１５】
さらに、コンテンツ情報配信用サーバ４は、後述する図２に示すようにカメラ装置制御部３７及びカメラ制御コンテンツ生成部３８を有している。カメラ装置制御部３７は、必ずしもコンテンツ情報配信用サーバ４に設けられる必要はなく、通信ネットワーク１に接続されていればよい。通信ネットワーク１は、相互通信可能な回線で構成される。例えばＬＡＮ、イントラネット等のネットワークをいい、他の通信ネットワークを利用しても良い。
【００１６】
監視映像装置２ａ，２ｂ，２ｃ…は、監視カメラ２１ａ，２１ｂ，２１ｃ…と、対応するエンコーダ２２ａ，２２ｂ，２２ｃ…と、から構成される。監視カメラ２１ａ，２１ｂ，２１ｃ…としては、アナログ式、デジタル式のいずれの方式を用いてもよい。エンコーダ２２ａ，２２ｂ，２２ｃ…は、監視カメラ２１ａ，２１ｂ，２１ｃ‥からのアナログ映像情報を標本化及び量子化により符号化した後、所定の映像フォーマットであるＭＰＥＧ２のＰＳ（プログラム  ストリーム）に変換する機能を持っている。
【００１７】
したがって、エンコーダ機能を備えたデジタル式の監視カメラ２１ａ，２１ｂ，２１ｃ…であれば、上述したエンコーダ２２ａ，２２ｂ，２２ｃ…を必要としない場合もある。しかし、デジタル式の監視カメラ２１ａ，２１ｂ，２１ｃ…としては、地上波デジタル放送との互換性を持たせる必要があるので、その必要に応じてＭＰＥＧ２のＰＳ（プログラム  ストリーム）に変換する機能を持たせる。
【００１８】
ＭＰＥＧ２ＴＳ変換装置３，３はチャンネル毎に設けられ、監視映像装置２ａ，２ｂ，２ｃ，‥から通信ネットワーク１を介して伝送されてくるＭＰＥＧ２のＰＳ（映像ストリーム）を地上デジタル対応の映像フォーマットであるＭＰＥＧ２ＴＳ（Ｔｒａｎｓｐｏｒｔ  Ｓｔｒｅａｍ）に変換し、多重化装置５に送出する。
【００１９】
なお、ＭＰＥＧ２ＴＳ変換装置３がＭＰＥＧ２ＴＳに変換する理由は、地上波デジタル放送のユーザ端末７がＭＰＥＧ２ＴＳと呼ばれる映像フォーマットに対応しており、かつ、一般の監視カメラシステムでは、地上デジタル対応の映像フォーマットとは異なる映像フォーマット、例えばＭＰＥＧ２のＰＳで伝送するものが多いためである。よって、各ＭＰＥＧ２ＴＳ変換装置３，３は、監視カメラシステム側が既に地上デジタル対応の映像フォーマットとなっている場合、その映像フォーマットの変換が必要ない場合もある。
【００２０】
コンテンツ情報配信用サーバ４は、監視カメラ２１ａ，２１ｂ，２１ｃ‥を制御し、カメラを制御するためのコンテンツ情報を生成する機能を持つ。また、コンテンツ情報配信用サーバ４は上記ＭＰＥＧ２ＴＳ変換装置３，３と対応をとりつつ、多重化装置５にコンテンツ情報を送出するものであって、通信ネットワーク１を介してユーザ端末７にコンテンツ情報を送出することもできる。
【００２１】
多重化装置５は、ＭＰＥＧ２ＴＳ変換装置３，３で変換されたＭＰＥＧ２ＴＳの映像ストリームと、コンテンツ情報配信サーバ４から送られてくるＢＭＬコンテンツ情報とをたとえば周波数分割的あるいは時分割的に多重合成して映像ストリームを生成し、１つのチャンネルを利用して放送周波数変換装置６に送出する。
【００２２】
放送周波数変換装置６は、多重化装置５で多重化された映像ストリームを、テレビの受信アンテナとして機能する同軸ケーブルの周波数帯域にあった放送周波数に変換してユーザ端末７に配信する。これにより、ユーザ端末７の複数の表示部に表示される監視映像上に、ユーザが適宜に選択可能なコンテンツ情報からなるリストメッセージなどが表示される。
【００２３】
図２は、上記コンテンツ情報配信サーバ４の構成を示すブロック図である。コンテンツ情報配信用サーバ４は、データ放送コンテンツ生成部３１、システム管理部３２、コンテンツ送信部３３、通信部３４、操作情報受信部３５、映像変換装置制御部３６、カメラ装置制御部３７、カメラ制御コンテンツ生成部３８などが設けられている。
【００２４】
データ放送コンテンツ生成部３１は、予め監視カメラ２１ａ，２１ｂ，２１ｃ…のカメラ情報（例えば、カメラ映像の名称、カメラ設置場所等）を含むＢＭＬコンテンツを生成し、記憶している。ここで、ＢＭＬコンテンツは、ＸＭＬ（ｅＸｔｅｎｓｉｂｌ  Ｍａｒｋｕｐ  Ｌａｎｇｕａｇｅ）ベースのマークアップ言語を用いて、デジタル放送のコンテンツの記述の他、画面上に対するコンテンツのレイアウト、複数のコンテンツの関連付け等を規定できる。ＢＭＬコンテンツには、簡易な制御プログラムを含むことができる。これにより、コンテンツ情報配信用サーバ４から制御プログラムを各ユーザ端末７に対してアップロードできる。このことは，ユーザが当該ユーザ端末７に向って遠隔操作機８を操作したとき、ユーザ端末７は制御プログラムを実行し、プログラム命令のもとに遠隔操作結果であるプログラムに規定される各種の操作情報を通信ネットワーク１に伝送できる。
【００２５】
システム管理部３２は、記憶装置３２ａを備えている。記憶装置３２ａには、少なくとも監視側アドレスリスト管理テーブル３２ａａ及びユーザ管理制御記憶部３２ａｂ、その他記憶部３２ａｃ、カメラ制御情報記憶部３２ａｄが設けられている。
【００２６】
監視側アドレスリスト管理テーブル３２ａａには、各監視カメラ２１ａ，２１ｂ，２１ｃ…、各エンコーダ２２ａ，２２ｂ，２２ｃ…のＩＰアドレスリストの他、チャンネル―ＭＰＥＧ２ＴＳ変換装置３，３のチャンネル対応リストが記憶される。
【００２７】
ユーザ管理制御記憶部３２ａｂには、特許文献１に記載する動作と同様に現状のチャンネルと配信中のカメラ映像との関係や、各ユーザ端末７における現在受信中チャンネル、ユーザ受信優先順位データが記憶される。その他記憶部３２ａｃには、処理途中の各種データが記憶される。カメラ制御情報記憶部３２ａｄには、ユーザが制御中のカメラ制御情報が記憶される。なお、制御についてはカメラ装置制御部３７を介しての制御を意味する。
【００２８】
映像変換装置制御部３６は、システム管理部３２の指示のもとに、例えばチャンネル切り替え指令に関するコマンドを通信ネットワーク１を経由してＭＰＥＧ２ＴＳ変換装置３，３に伝送し、所望のチャンネル切り替えを促し、監視カメラ２１ａ，２１ｂ，２１ｃ‥の映像を配信している、いずかのＭＰＥＧ２ＴＳ変換装置３，３の情報を取り込んでシステム管理部３２に受け渡す。
【００２９】
従って、システム管理部３２は、映像変換装置制御部３６を介して取り込んだ各ＭＰＥＧ２ＴＳ変換装置３，３の配信映像のもとにデータ放送コンテンツ生成部３１のＢＭＬコンテンツ情報を取り出し、コンテンツ送信部３３から出力する機能を有する。また、操作情報受信部３５で受信した操作情報に従って、所望の処理を実行する機能を有する。
【００３０】
カメラ装置制御部３７は、ユーザから送られてきた制御情報と他のユーザとの制御情報をもとに、監視カメラ２１ａ，２１ｂ，２１ｃ‥の制御の許可または不許可を判断する。また、監視カメラ２１ａ，２１ｂ，２１ｃ‥の制御を許可する場合には、ユーザからの制御情報を監視カメラ２１ａ，２１ｂ，２１ｃ‥に送信する。
【００３１】
カメラ制御コンテンツ生成部３８は、監視カメラ２１ａ，２１ｂ，２１ｃ‥のコンテンツの記述や、画面上に対する監視カメラ２１ａ，２１ｂ，２１ｃ‥を制御するコンテンツのレイアウト、監視カメラ２１ａ，２１ｂ，２１ｃ‥の関連付け等を規定することができる。また、カメラ制御コンテンツ生成部３８が生成するコンテンツ情報には、制御プログラムを含むことができる。これにより、コンテンツ情報配信用サーバ４から制御プログラムを各ユーザ端末７に対してアップロードできる。このことは、ユーザが当該ユーザ端末７に向って遠隔操作機８を操作したとき、ユーザ端末７は制御プログラムを実行し、プログラム命令のもとに遠隔操作結果であるプログラムに規定される各種の操作情報を通信ネットワーク１に伝送できる。
【００３２】
次に、以上のような監視カメラ制御システムの動作を、図１乃至図５を参照して説明する。なお、以下の番号は図３及び図４に記載の番号に対応する。また、図５はユーザ端末７に表示される監視カメラを操作するための画面例を示している。
【００３３】
（１）監視カメラ２１ａ，２１ｂ，２１ｃ…の映像は、対応するエンコーダ２２ａ，２２ｂ，２２ｃ…に送られる。ここで、監視カメラ２１ａ，２１ｂ，２１ｃ…の映像情報がアナログ映像であれば、エンコーダ２２ａ，２２ｂ，２２ｃ…は標本化及び量子化により符号化した後、所定の映像フォーマットであるＭＰＥＧ２のＰＳに変換し、通信ネットワーク１を介してＭＰＥＧ２ＴＳ変換装置３に伝送する。
【００３４】
（２）ＭＰＥＧ２ＴＳ変換装置３，３は、コンテンツ情報配信用サーバ４内の映像変換装置制御部３６により制御され、監視カメラ２１ａ，２１ｂ，２１ｃ…からの映像を受信し、地上波デジタル放送形式であるＭＰＥＧ２ＴＳへ変換し、多重化装置５に送出する。
【００３５】
（３）また、コンテンツ情報配信用サーバ４内のデータ放送コンテンツ生成部３１によって作成されたデータ放送コンテンツが、コンテンツ送信部３３により多重化装置５に入力される。そして、ＭＰＥＧ２ＴＳ変換装置３，３で変換されたＭＰＥＧ２ＴＳ及びデータ放送コンテンツ生成部３１で作成されたデータ放送コンテンツは、多重化装置５で多重化される。
【００３６】
（４）多重化装置５から出力された多重化情報は、放送周波数変換装置６により放送周波数に変換され、ＭＰＥＧ２ＴＳ変換装置３，３で変換された監視カメラの映像と併せて、ユーザ端末７に供給される。ユーザ端末７は、受信した監視カメラの映像とデータ放送コンテンツを表示する。
【００３７】
（５）次に、ユーザ端末７の遠隔操作機８を操作し、表示されているデータ放送コンテンツ内のカメラ操作開始のリストメッセージを選択する。これにより、現在ユーザ端末７に映像が表示されている監視カメラを制御するための操作開始要求が、通信ネットワーク１を介してコンテンツ情報配信用サーバ４へ送信される。
【００３８】
（６）上記操作開始要求は、通信ネットワーク１から通信部３４を介してコンテンツ情報配信用サーバ４の操作情報受信部３５へ通知される。
【００３９】
（７）コンテンツ情報配信用サーバ４の動作が開始すると、操作情報受信部３５は、上記操作開始要求をシステム管理部３２へ通知する。
【００４０】
（８）システム管理部３２は、カメラ制御情報記憶部３２ａｄに記憶されるカメラ制御情報を参照し、操作開始要求と共に、当該操作開始要求と関係のあるカメラ制御情報をカメラ装置制御部３７へ通知する。
【００４１】
（９）カメラ装置制御部３７は、該当する監視カメラ２１ａ，２１ｂ，２１ｃ…が他のユーザから制御されている状態であるか否かを、システム管理部３２から供給されたカメラ制御情報を参照して判断する。そして、予め設定されたルールに基づき該当ユーザによるユーザによる該当する監視カメラ２１ａ，２１ｂ，２１ｃ…の制御を許可するか否かを判断する。
【００４２】
（１０）また、カメラ装置制御部３７は、上記（９）の判断をもとにカメラ制御コンテンツ生成部３８にカメラ制御許可または不許可の通知を行う。
【００４３】
（１１）カメラ制御コンテンツ生成部３８は、カメラ装置制御部３７からカメラ制御許可がなされたとき、監視カメラ２１ａ，２１ｂ，２１ｃ…を制御するための操作画面コンテンツ５０（図５を参照）を通信ネットワーク１を介してユーザ端末７に配信する。したがって、操作画面コンテンツ５０の配信では、多重化装置５および放送周波数変換装置６を介することなく、通信ネットワーク１からのルートで配信する。
【００４４】
（１２）ユーザ端末７は、コンテンツ情報配信用サーバ４から操作画面コンテンツ５０が送信されると、それにより図５の画面を表示する。その結果、ユーザ端末７のユーザは、ユーザ端末７に表示された操作画面コンテンツ５０から遠隔操作機８を用いて監視カメラを制御することができる。例えば、遠隔操作機８により、操作画面コンテンツ５０に表示された上旋回ボタン５２を操作すると、その操作情報がユーザ端末７から通信ネットワーク１を介してコンテンツ情報配信用サーバ４へ送信される。
【００４５】
（１３）コンテンツ情報配信用サーバ４は、ユーザ端末７から通信ネットワーク１、通信部３４を介して受信した操作情報を操作情報受信部３５で受信する。さらに、操作情報は操作情報受信部３５からシステム管理部３２へ通知される。
【００４６】
（１４）システム管理部３２は、カメラ制御情報記憶部３２ａｄに記憶されるカメラ制御情報と共に、操作情報をカメラ装置制御部３７へ通知する。（１５）さらに、カメラ装置制御部３７は、ユーザ端末７によるカメラ制御の情報をカメラ制御情報記憶部３２ａｄに記憶する。
【００４７】
（１６）カメラ装置制御部３７は、カメラ制御情報を参照して生成した操作情報のコマンドを、通信部３４からネットワーク１を介して、監視カメラ２１ａ，２１ｂ，２１ｃ…へ送信する。その結果、ユーザ端末７からの操作情報の入力に応じた動作を監視カメラ２１ａ，２１ｂ，２１ｃ…で実行されることになる。
【００４８】
図５に示すように、ユーザ端末７では、操作画面コンテンツ５０と監視カメラ２１ａ，２１ｂ，２１ｃ…の映像５１が同時に表示することができる。そして、操作画面コンテンツ５０は、遠隔操作機８を用いて監視カメラ２１ａ，２１ｂ，２１ｃ…を操作することができる。例えば、遠隔操作機８の青・赤・黄・緑のボタンを、使用頻度の高いカメラ操作ボタン（上旋回ボタン５２、左旋回ボタン５３、右旋回ボタン５４、下旋回ボタン５５、など）に割り当てることで、ユーザの操作性を向上させることができる。また、あらかじめ記憶された（プリセット）画角や、焦点距離等に監視カメラが旋回動作するボタンとして、プリセットサムネイルボタン５８を設けることでさらにユーザの操作性を向上することができる。プリセットサムネイルボタン５８には、例えば旋回後の監視カメラの映像を縮小したサムネイルをボタンとして用いることにより、さらなる利便性の向上が図れる。また、戻るボタン５９で規定の画面（例：直前の画面）に遷移することができる。
【００４９】
（その他の実施形態）
上記実施の形態では、ユーザが遠隔操作機８を用いてユーザ端末７に表示されるカメラ映像に対して操作を行ったとき、その操作情報をコンテンツ情報配信用サーバ４に伝送し、コンテンツ情報配信用サーバ４のシステム管理部３２はユーザ要求をカメラ装置制御部３７から監視カメラに送信して、カメラ映像制御を行うようにしていた。システム管理部３２では、カメラ制御情報記憶部３２ａｄにユーザ優先順位データや、ユーザ端末７の操作情報から一番受信しているチャンネル、監視映像を見ているユーザ端末などを記憶している。従って、システム管理部３２では、カメラ制御情報記憶部３２ａｄに記憶されるこれらの情報から監視カメラ２１ａ，２１ｂ，…の監視映像を制御するための操作権限を与える情報を含めてコンテンツ情報を配信するようにしてもよい。これにより、特定のユーザに対し、一番受信しているチャンネルを用いて監視映像を優先的に視聴させることも可能である。
【００５０】
また、システム管理部３２としては、複数のユーザ端末７から送られてくる操作情報から受信中チャンネル情報を取得できるので、現在何れのチェンネルが空き状態になっているかを判断することができる。よって、システム管理部３２から、ユーザ端末７が利用していない空きチャンネル情報をコンテンツ情報に含めて各ユーザ端末７に提供（メッセージを表示）することにより、ユーザ端末７は自由に空きチャンネル情報に切替えて、所望のカメラ映像を視聴可能にすることもできる。
【００５１】
その他、本発明は、上記実施の形態に限定されるものではなく、その要旨を逸脱しない範囲で種々変形して実施できる。
【符号の説明】
【００５２】
１                  …  通信ネットワーク
２ａ，２ｂ，…      …  監視映像装置
３                  …  ＭＰＥＧ２ＴＳ変換装置
４                  …  コンテンツ情報配信用サーバ
５                  …  多重化装置
６                  …  放送周波数変換装置
７                  …  ユーザ端末（テレビ受像機）
８                  …  遠隔操作機（リモコン）
２１ａ，２１ｂ，２１ｃ…  監視カメラ
２２ａ，２２ｂ，２２ｂ…  エンコーダ
３１                …  データ放送コンテンツ生成部
３２                …  システム管理部
３２ａ              …  記憶装置
３２ａａ            …  監視側アドレスリスト管理テーブル
３２ａｂ            …  ユーザ管理制御部
３２ａｃ            …  その他記憶部
３２ａｄ            …  カメラ制御情報記憶部
３３                …  コンテンツ送信部
３４                …  通信部
３５                …  操作情報受信部
３６                …  映像変換装置制御部
３７                …  カメラ装置制御部
３８                …  カメラ制御コンテンツ生成部
５０                …  カメラ操作用画面
５１                …  監視カメラ映像
５２                …  上旋回ボタン（赤）
５３                …  左旋回ボタン（青）
５４                …  右旋回ボタン（黄）
５５                …  下旋回ボタン（緑）
５６                …  ズームインボタン
５７                …  ズームアウトボタン
５８                …  プリセットサムネイルボタン
５９                …  戻るボタン
【図１】
2011061601.tif 000003
【図２】
2011061601.tif 000004
【図３】
2011061601.tif 000005
【図４】
2011061601.tif 000006
【図５】
2011061601.tif 000007